(57)【要約】【課題】  流入口と流出口とを有するケーシングと、ケーシング内に配設されたストレーナと、ケーシングに形成されたストレーナ出し入れ用の開口部と、離脱可能にケーシングに固定されてケーシングの外側から前記開口部を覆う蓋部材とを備える配管接続部材であって、凍結に伴う内圧上昇による破損の恐れが無い樹脂製の配管接続部材を提供する。【解決手段】  流入口と流出口とを有するケーシングと、ケーシング内に配設されたストレーナと、ケーシングに形成されたストレーナ出し入れ用の開口部と、離脱可能にケーシングに固定されてケーシングの外側から前記開口部を覆う蓋部材とを備え、ストレーナはピストンを形成してケーシングの前記開口部に摺動可能に係合し、ストレーナが形成するピストンとケーシングの前記開口部との摺接部を止水するシール部材を備え、ストレーナは蓋部材によってピストン移動方向に弾性支持されている。【選択図】  図１
2020204386.tif 000002
【特許請求の範囲】
【請求項１】
流入口と流出口とを有するケーシングと、ケーシング内に配設されたストレーナと、ケーシングに形成されたストレーナ出し入れ用の開口部と、離脱可能にケーシングに固定されてケーシングの外側から前記開口部を覆う蓋部材とを備え、ストレーナはピストンを形成してケーシングの前記開口部に摺動可能に係合し、ストレーナが形成するピストンとケーシングの前記開口部との摺接部を止水するシール部材を備え、ストレーナは蓋部材によってピストン移動方向に弾性支持されていることを特徴とする樹脂製の配管接続部材。
【請求項２】
蓋部材とストレーナとの間にバネが配設されていることを特徴とする請求項１に記載の配管接続部材。
【請求項３】
蓋部材は面外変形可能な板部材であることを特徴とする請求項１に記載の配管接続部材。
【発明の詳細な説明】
【技術分野】
【０００１】
本発明は、配管接続部材に関するものである。
【背景技術】
【０００２】
流入口と流出口とを有するケーシングと、ケーシング内に配設されたストレーナと、ケーシングに形成されたストレーナ出し入れ用の開口部と、離脱可能にケーシングに固定されてケーシングの外側から前記開口部を覆う蓋部材とを備える樹脂製の配管接続部材が従来から使用されている。給水源の圧力変動や水回り機器の不具合等による不測の高水圧印加による破損を防止すべく、圧力逃し弁を備えた配管接続部材も、例えば特許文献１に開示されているように、従来から使用されている。
【先行技術文献】
【特許文献】
【０００３】
【特許文献１】特開２０１８−００４２０３号公報
【発明の概要】
【発明が解決しようとする課題】
【０００４】
寒冷地においては、外部環境に近接する配管接続部材の、凍結に伴う内圧上昇による破損が問題になる。外側のケーシング側から内部のストレーナへ向けて凍結が進行するので、外側に近い圧力逃し弁は凍結進行の比較的早い段階で凍結し、凍結に伴う圧力上昇を逃がす機能を失う。従って、樹脂製の配管接続部材にあっては、圧力逃し弁を備えていても、寒冷地で使用する場合、凍結に伴う内圧上昇によって破損する可能性がある。
本発明は、上記問題に鑑みてなされたものであり、流入口と流出口とを有するケーシングと、ケーシング内に配設されたストレーナと、ケーシングに形成されたストレーナ出し入れ用の開口部と、離脱可能にケーシングに固定されてケーシングの外側から前記開口部を覆う蓋部材とを備える樹脂製の配管接続部材であって、寒冷地で使用される場合でも、凍結に伴う内圧上昇による破損の恐れが無い、配管接続部材を提供することを目的とする。
【課題を解決するための手段】
【０００５】
上記課題を解決するために、本発明においては、流入口と流出口とを有するケーシングと、ケーシング内に配設されたストレーナと、ケーシングに形成されたストレーナ出し入れ用の開口部と、離脱可能にケーシングに固定されてケーシングの外側から前記開口部を覆う蓋部材とを備え、ストレーナはピストンを形成してケーシングの前記開口部に摺動可能に係合し、ストレーナが形成するピストンとケーシングの前記開口部との摺接部を止水するシール部材を備え、ストレーナは蓋部材によってピストン移動方向に弾性支持されていることを特徴とする樹脂製の配管接続部材を提供する。
ピストンを形成するストレーナが移動することにより、凍結に伴う内圧上昇を吸収し、樹脂製の配管接続部材の破損を防止する。
【０００６】
本発明の好ましい態様においては、蓋部材とストレーナとの間にバネが配設されている。
本発明の好ましい態様においては、蓋部材は面外変形可能な板部材である。
蓋部材とストレーナとの間にバネを配設し、或いは蓋部材を面外変形可能な板部材で構成することにより、ピストンを形成するストレーナの長手軸線方向への移動が可能になる。
【図面の簡単な説明】
【０００７】
【図１】本発明の実施例に係る配管接続部材の断面図である。（ａ）は通常作動時を示し、（ｂ）は凍結時を示す。
【図２】本発明の他の実施例に係る配管接続部材の構造図である。（ａ）は通常作動時の断面図であり、（ｂ）は一部を断面で示した（ａ）のｂ−ｂ矢視図であり、（ｃ）は蓋部材の上面図であり、（ｄ）、（ｅ）は蓋部材の変形例の上面図である。
【図３】図２の配管接続部材の凍結時の構造図である。（ａ）は断面図であり、（ｂ）は一部を断面で示した（ａ）のｂ−ｂ矢視図である。
【図４】本発明の他の実施例に係る配管接続部材の断面図である。
【発明を実施するための形態】
【０００８】
図１（ａ）に示すように、配管接続部材１は、流入口２と流出口３とを有する樹脂製のケーシング４と、ケーシング４内に配設されたストレーナ５と、ケーシング４に形成されたストレーナ出し入れ用の開口部６と、離脱可能に開口部６の大径部６ａに螺入してケーシング４に固定され、ケーシング４の外側から開口部６を覆う樹脂製の厚肉の蓋部材７とを備えている。
ストレーナ５はピストンヘッド５ａと、周方向に離散してピストンヘッド５ａ周縁部に立設された複数の脚部５ｂと、複数の脚部５ｂにより挟持された筒状のワイヤメッシ５ｃと、ピストンヘッド５ａの周溝に嵌合したＯリング５ｄとから構成されたピストンを形成する組立体である。
ピストンヘッド５ａは開口部６の小径部６ｂと蓋部材７の中央開口７ａとに摺動可能に係合している。ピストンヘッド５ａと開口部６の小径部６ｂとの摺接部はＯリング５ｄにより止水されている。ピストンヘッド５ａと蓋部材７との間の隙間Ｓにバネ８が配設されている。ピストンヘッド５ａに螺着した螺子９の頭部が蓋部材の中央開口７ａの周囲に形成された段部７ｂに係合して、ストレーナ５の蓋部材７からの離脱を防止している。バネ８を介して間接的にピストンヘッド５ａに当接する蓋部材７と、脚部５ｂの端部に当接する開口部６の奥段部６ｃとにより、ストレーナ５はピストン移動方向に弾性支持されている。
配管接続部材１は、ストレーナ５のメンテナンス時に作動させる止水栓１０を備えている。配管接続部材１は更に、流入口２に接続される給水源の圧力変動や、流出口３に接続される水回り機器の不具合等による不測の高水圧印加による破損を防止するための、公知の圧力逃し弁圧１１を備えている。
【０００９】
配管接続部材１の作動を説明する。
流入口２から流入した水は、ケーシング４内に形成された流路を流れ、ストレーナ５を通過して鉄錆等の異物が除去され、流出口３から流出し、減圧弁、電磁弁等を経由して水回り機器に供給される。
ストレーナ５をメンテナンスする際には、止水栓１０をねじ込み、流入口２から延びる通路を閉鎖する。次いで蓋部材７をケーシグ４から取り外し、蓋部材７からの離脱が防止されたストレーナ５をケーシング４から取り出す。ストレーナ５を洗浄した後、相互に離脱が防止された蓋部材７とストレーナ５とをケーシング４に取付け、止水栓１０を逆にねじって流入口２から延びる通路を開放する。
流入口２に接続される給水源の圧力変動や、流出口３に接続される水回り機器の不具合等による不測の高水圧が発生した時は、圧力逃し弁圧１１が作動してケーシング４内の水を外部に放出してケーシング内圧を低下させて、樹脂製のケーシング４、蓋部材７の破損を防止する。
配管接続部材１が寒冷地で使用される場合、外部環境に近接する配管接続部材１が凍結する場合を生ずる。この場合、外側のケーシング４側から内部のストレーナ５へ向けて凍結が進行するので、外側に近い圧力逃し弁１１は凍結進行の比較的早い段階で凍結し、凍結に伴う内圧上昇を逃がす機能を失う可能性がある。この場合でも、図１（ｂ）に示すように、ピストンを形成するストレーナ５がバネ８を押し縮めながら移動することにより、ケーシング４内の水収容空間の体積が増加し、凍結に伴う内圧上昇が吸収されて、樹脂製のケーシング４と蓋部材７の破損が防止される。
【００１０】
図２（ａ）〜（ｃ）に示すように、厚肉の樹脂製蓋部材７とバネ８とに代えて、両端部がケーシング４に螺子固定された金属製の薄板材で形成された蓋部材７’で、ケーシング４の開口部６を覆っても良い。この場合、蓋部材７’はバネ材を介することなく直接ピストンヘッド５ａに当接する。ピストンヘッド５ａに直接当接する蓋部材７’と、脚部５ｂの端部に当接する開口部６の奥段部６ｃとにより、ストレーナ５はピストン移動方向に弾性支持される。凍結に伴い内圧が上昇すると、図３に示すようにピストンを形成するストレーナ５が蓋部材７’を面外変形させつつ移動して、ケーシング４内の水収容空間の体積を増加させ、凍結に伴う内圧上昇を吸収し、樹脂製のケーシング４の破損を防止する。
蓋部材７’の面外変形を容易にするために、図２（ｄ）に示すように、蓋部材７’に切欠き７ａ’を形成し、或いは図２（ｅ）に示すよう蓋部材７’に開口７ｂ’を形成しても良い。
図４に示すように、本発明は、圧力逃し弁を備えない配管接続部材１’にも適用可能である。尚図４において、参照番号１２を付した部材は、逆止弁である。
【産業上の利用可能性】
【００１１】
本発明は、寒冷条件下で使用される配管接続部材に広く利用可能である。
【符号の説明】
【００１２】
１、１’  配管接続部材
２  流入口
３  流出口
４  ケーシング
５  ストレーナ
５ａ  ピストンヘッド
５ｂ  脚部
５ｃ  ワイヤメッシュ
５ｄ  Ｏリング
６  ストレーナ出し入れ用の開口部
６ａ  大径部
６ｂ  小径部
６ｃ  奥段部
７、７’  蓋部材
７ａ  中央開口
７ｂ  段部
７ａ’ 切欠き
７ｂ’ 開口
８  バネ
９  螺子
１０  止水栓
１１  圧力逃し弁
１２  逆止弁
Ｓ  隙間
【図１】
2020204386.tif 000003
【図２】
2020204386.tif 000004
【図３】
2020204386.tif 000005
【図４】
2020204386.tif 000006